【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
視線追跡センサおよび音声認識センサを具備するヘッドマウントディスプレイと連結される制御装置で遂行される動体視力検査方法において、
（ａ）検査チャートを生成して前記ヘッドマウントディスプレイに提供する段階；
（ｂ）前記検査チャートでユーザーによって読まれる特定の視標を表示するためのマーカーを前記ヘッドマウントディスプレイに提供する段階；
（ｃ）前記マーカーの表示により、前記視線追跡センサから獲得された前記ユーザーの視線の移動による視線追跡データおよび前記マーカーで表示された視標を前記ユーザーが読むことによって、前記音声認識センサから獲得された音声認識データを受信する段階；および
（ｄ）前記視線追跡データおよび前記音声認識データに基づいて動体視力検査結果を生成する段階を含む、動体視力検査方法。
【請求項２】
前記（ａ）段階以前に
前記視線追跡センサから獲得される視線追跡データと前記ヘッドマウントディスプレイに出力される映像をキャリブレーションする段階をさらに含むことを特徴とする、請求項１に記載の動体視力検査方法。
【請求項３】
前記キャリブレーションする段階は
キャリブレーション用マーカーを生成して前記ヘッドマウントディスプレイに提供する段階；
前記キャリブレーション用マーカーを凝視する前記ユーザーの視線追跡データを獲得し、前記視線追跡データから前記ヘッドマウントディスプレイで出力されたディスプレイ映像内での前記ユーザーの視線位置座標を獲得する段階；および
前記視線位置座標と前記ヘッドマウントディスプレイで出力されたディスプレイ映像内での前記キャリブレーション用マーカーの位置座標を一致させる段階を含むことを特徴とする、請求項２に記載の動体視力検査方法。
【請求項４】
前記（ｂ）段階は、
前記ユーザーの視線が特定の視標に到達するか否かを判断するために、前記特定の視標に対する有効領域を設定し、前記有効領域を前記マーカーで表示する段階を含み、
前記ユーザーによって読まれる前記特定の視標は検査チャート内で順次決定され、決定された前記特定の視標に応じて該当視標を表示するための前記マーカーは、前記ヘッドマウントディスプレイに順次提供されることを特徴とする、請求項１から３のいずれか一項に記載の動体視力検査方法。
【請求項５】
前記（ｄ）段階は、前記視線追跡データから前記ユーザーの視線が前記有効領域内に位置するか否かを判断する段階；および
前記ユーザーの視線が前記有効領域内に到達する時の時間を記録する段階を含むことを特徴とする、請求項４に記載の動体視力検査方法。
【請求項６】
前記（ｄ）段階は、
前記音声認識データを受信する時の時間を記録する段階を含むことを特徴とする、請求項５に記載の動体視力検査方法。
【請求項７】
前記（ｄ）段階は、
前記ユーザーの視線が前記有効領域内に到達する時の時間および前記音声認識データを受信する時の時間差を算出する段階を含み、
前記マーカーが順次提供されることによって複数の時間差が算出されると、前記複数の時間差の平均が算出されることを特徴とする、請求項６に記載の動体視力検査方法。
【請求項８】
前記（ｄ）段階は、
前記音声認識データおよび前記検査チャート上で前記マーカーで表示された視標に基づいて垂直検査および水平検査のそれぞれに対してエラーを検出して全体のエラーの個数を算定する段階を含むことを特徴とする、請求項１から７のいずれか一項に記載の動体視力検査方法。
【請求項９】
視線追跡センサおよび音声認識センサを具備するヘッドマウントディスプレイ；および前記ヘッドマウントディスプレイと連結される制御装置を含み、
前記制御装置は、
検査チャートを生成して前記ヘッドマウントディスプレイに提供する検査チャート伝送部；
前記検査チャートでユーザーによって読まれる特定の視標を表示するためのマーカーを前記ヘッドマウントディスプレイに提供するマーカー提供部；
前記マーカーの表示により、前記視線追跡センサから獲得された前記ユーザーの視線の移動による視線追跡データおよび前記マーカーで表示された視標を前記ユーザーが読むことによって、前記音声認識センサから獲得された音声認識データを受信するデータ受信部；および
前記視線追跡データおよび前記音声認識データに基づいて動体視力検査結果を生成する動体視力測定部を含む、動体視力検査システム。
【請求項１０】
前記制御装置は
前記視線追跡センサから獲得される視線追跡データと前記ヘッドマウントディスプレイに出力される映像をキャリブレーションするキャリブレーション部をさらに含むことを特徴とする、請求項９に記載の動体視力検査システム。
【請求項１１】
前記キャリブレーション部は
キャリブレーション用マーカーを生成して前記ヘッドマウントディスプレイに提供し、
前記キャリブレーション用マーカーを凝視する前記ユーザーの視線追跡データを獲得し、前記視線追跡データから前記ヘッドマウントディスプレイで出力されたディスプレイ映像内での前記ユーザーの視線位置座標を獲得し、前記視線位置座標と前記ヘッドマウントディスプレイで出力されたディスプレイ映像内での前記キャリブレーション用マーカーの位置座標を一致させることを特徴とする、請求項１０に記載の動体視力検査システム。
【請求項１２】
前記マーカー提供部は
前記ユーザーの視線が特定の視標に到達するか否かを判断するために、前記特定の視標に対する有効領域を設定し、前記有効領域を前記マーカーで表示し、
前記ユーザーによって読まれる前記特定の視標は検査チャート内で順次決定され、決定された前記特定の視標に応じて該当視標を表示するための前記マーカーは、前記ヘッドマウントディスプレイに順次提供されることを特徴とする、請求項９から１１のいずれか一項に記載の動体視力検査システム。
【請求項１３】
前記動体視力測定部は
前記視線追跡データから前記ユーザーの視線が前記有効領域内に位置するか否かを判断し、
前記ユーザーの視線が前記有効領域内に到達する時の時間を記録することを特徴とする、請求項１２に記載の動体視力検査システム。
【請求項１４】
前記動体視力測定部は
前記音声認識データを受信する時の時間を記録することを特徴とする、請求項１３に記載の動体視力検査システム。
【請求項１５】
前記動体視力測定部は
前記ユーザーの視線が前記有効領域内に到達する時の時間および前記音声認識データを受信する時の時間差を算出し、
前記マーカーが順次提供されることによって複数の時間差が算出されると、前記複数の時間差の平均が算出されることを特徴とする、請求項１４に記載の動体視力検査システム。
【請求項１６】
前記動体視力測定部は
前記音声認識データおよび前記検査チャート上で前記マーカーで表示された視標に基づいて垂直検査および水平検査のそれぞれに対してエラーを検出して全体のエラーの個数を算定することを特徴とする、請求項９から１５のいずれか一項に記載の動体視力検査システム。
【請求項１７】
請求項１〜請求項８のいずれか一項に記載された方法をコンピュータで実行させることができるプログラムを記録した、コンピュータ可読記録媒体。
【手続補正２】
【補正対象書類名】明細書
【補正対象項目名】００７４
【補正方法】変更
【補正の内容】
【００７４】
前述した本発明に係る動体視力検査方法、およびこれを遂行する動体視力検査システムに対する好ましい実施例について説明したが、本発明はこれに限定されず、特許請求の範囲と発明の詳細な説明および添付した図面の範囲の中で、多様に変形して実施することが可能であり、これもまた本発明に属する。
以下の項目は、国際出願時の特許請求の範囲に記載の要素である。
（項目１）
視線追跡センサおよび音声認識センサを具備するヘッドマウントディスプレイと連結される制御装置で遂行される動体視力検査方法において、
（ａ）検査チャートを生成して前記ヘッドマウントディスプレイに提供する段階；
（ｂ）前記検査チャートでユーザーによって読まれる特定の視標を表示するためのマーカーを前記ヘッドマウントディスプレイに提供する段階；
（ｃ）前記マーカーの表示により、前記視線追跡センサから獲得された前記ユーザーの視線の移動による視線追跡データおよび前記マーカーで表示された視標をユーザーが読むことによって、前記音声認識センサから獲得された音声認識データを受信する段階；および
（ｄ）前記視線追跡データおよび音声認識データに基づいて動体視力検査結果を生成する段階を含む、動体視力検査方法。
（項目２）
前記（ａ）段階以前に
前記視線追跡センサから獲得される視線追跡データと前記ヘッドマウントディスプレイに出力される映像をキャリブレーションする段階をさらに含むことを特徴とする、項目１に記載の動体視力検査方法。
（項目３）
前記キャリブレーションする段階は
キャリブレーション用マーカーを生成して前記ヘッドマウントディスプレイに提供する段階；
前記キャリブレーション用マーカーを凝視するユーザーの視線追跡データを獲得し、前記視線追跡データから前記ヘッドマウントディスプレイで出力されたディスプレイ映像内でのユーザーの視線位置座標を獲得する段階；および
前記視線位置座標と前記ヘッドマウントディスプレイで出力されたディスプレイ映像内での前記キャリブレーション用マーカーの位置座標を一致させる段階を含むことを特徴とする、項目２に記載の動体視力検査方法。
（項目４）
前記（ｂ）段階は、
前記ユーザーの視線が特定の視標に到達するか否かを判断するために、前記特定の視標に対する有効領域を設定し、前記有効領域をマーカーで表示する段階を含むものの、
前記ユーザーによって読まれる特定の視標は検査チャート内で順次決定され、決定された特定の視標に応じて該当視標を表示するためのマーカーは、前記ヘッドマウントディスプレイに順次提供されることを特徴とする、項目１に記載の動体視力検査方法。
（項目５）
前記（ｄ）段階は、前記視線追跡データから前記ユーザーの視線が前記有効領域内に位置するか否かを判断する段階；および
前記ユーザーの視線が前記有効領域内に到達する時の時間を記録する段階を含むことを特徴とする、項目４に記載の動体視力検査方法。
（項目６）
前記（ｄ）段階は、
前記音声認識データを受信する時の時間を記録する段階を含むことを特徴とする、項目５に記載の動体視力検査方法。
（項目７）
前記（ｄ）段階は、
前記ユーザーの視線が前記有効領域内に到達する時の時間および前記音声認識データを受信する時の時間差を算出する段階を含むものの、
前記マーカーが順次提供されることによって複数の時間差が算出されると、前記複数の時間差の平均が算出されることを特徴とする、項目６に記載の動体視力検査方法。
（項目８）
前記（ｄ）段階は、
前記音声認識データおよび前記検査チャート上で前記マーカーで表示された視標に基づいて垂直検査および水平検査のそれぞれに対してエラーを検出して全体のエラーの個数を算定する段階を含むことを特徴とする、項目１に記載の動体視力検査方法。
（項目９）
視線追跡センサおよび音声認識センサを具備するヘッドマウントディスプレイ；および前記ヘッドマウントディスプレイと連結される制御装置を含むものの、
前記制御装置は、
検査チャートを生成して前記ヘッドマウントディスプレイに提供する検査チャート伝送部；
前記検査チャートでユーザーによって読まれる特定の視標を表示するためのマーカーを前記ヘッドマウントディスプレイに提供するマーカー提供部；
前記マーカーの表示により、前記視線追跡センサから獲得された前記ユーザーの視線の移動による視線追跡データおよび前記マーカーで表示された視標をユーザーが読むことによって、前記音声認識センサから獲得された音声認識データを受信するデータ受信部；および
前記視線追跡データおよび音声認識データに基づいて動体視力検査結果を生成する動体視力測定部を含む、動体視力検査システム。
（項目１０）
前記制御装置は
前記視線追跡センサから獲得される視線追跡データと前記ヘッドマウントディスプレイに出力される映像をキャリブレーションするキャリブレーション部をさらに含むことを特徴とする、項目９に記載の動体視力検査システム。
（項目１１）
前記キャリブレーション部は
キャリブレーション用マーカーを生成して前記ヘッドマウントディスプレイに提供し、
前記キャリブレーション用マーカーを凝視するユーザーの視線追跡データを獲得し、前記視線追跡データから前記ヘッドマウントディスプレイで出力されたディスプレイ映像内でのユーザーの視線位置座標を獲得し、前記視線位置座標と前記ヘッドマウントディスプレイで出力されたディスプレイ映像内での前記キャリブレーション用マーカーの位置座標を一致させることを特徴とする、項目１０に記載の動体視力検査システム。
（項目１２）
前記マーカー提供部は
前記ユーザーの視線が特定の視標に到達するか否かを判断するために、前記特定の視標に対する有効領域を設定し、前記有効領域をマーカーで表示するものの、
前記ユーザーによって読まれる特定の視標は検査チャート内で順次決定され、決定された特定の視標に応じて該当視標を表示するためのマーカーは、前記ヘッドマウントディスプレイに順次提供されることを特徴とする、項目９に記載の動体視力検査システム。
（項目１３）
前記動体視力測定部は
前記視線追跡データから前記ユーザーの視線が前記有効領域内に位置するか否かを判断し、
前記ユーザーの視線が前記有効領域内に到達する時の時間を記録することを特徴とする、項目１２に記載の動体視力検査システム。
（項目１４）
前記動体視力測定部は
前記音声認識データを受信する時の時間を記録することを特徴とする、項目１３に記載の動体視力検査システム。
（項目１５）
前記動体視力測定部は
前記ユーザーの視線が前記有効領域内に到達する時の時間および前記音声認識データを受信する時の時間差を算出するものの、
前記マーカーが順次提供されることによって複数の時間差が算出されると、前記複数の時間差の平均が算出されることを特徴とする、項目１４に記載の動体視力検査システム。
（項目１６）
前記動体視力測定部は
前記音声認識データおよび前記検査チャート上で前記マーカーで表示された視標に基づいて垂直検査および水平検査のそれぞれに対してエラーを検出して全体のエラーの個数を算定することを特徴とする、項目９に記載の動体視力検査システム。
（項目１７）
項目１〜項目８のいずれか一項に記載された方法をコンピュータで実行させることができるプログラムを記録した、コンピュータ可読記録媒体。